(57)【要約】【課題】安価で、小型のクリーム半田塗布装置を提供する。【解決手段】本発明のクリーム半田塗布装置は、クリーム半田を収容し、少なくとも上下動可能な容器１と、この容器１の下部に設けられ、クリーム半田を塗布するためのノズル１ｂと、クリーム半田が塗布されるワーク５を支持する基台４とを備え、容器１には、容器１と共に移動する位置決め部材２が取り付けられ、容器１が下方に移動した時、位置決め部材２の下端部２ｅが基台４、或いは基台４上に配置されたワーク５、或いはワーク５を保持する保持部材に当接するようにしたため、ノズル１ｂとワーク５との間の所望の距離が機械的な構成によって得ることができて、従来の電気的距離制御手段が不要となって、安価で、小型のものを提供できる。【選択図】        図３
2004306129.tif 000002
【特許請求の範囲】
【請求項１】
クリーム半田を収容し、少なくとも上下動可能な容器と、この容器の下部に設けられ、クリーム半田を塗布するためのノズルと、クリーム半田が塗布されるワークを支持する基台とを備え、前記容器には、前記容器と共に移動する位置決め部材が取り付けられ、前記容器が下方に移動した時、前記位置決め部材の下端部が前記基台、或いは前記基台上に配置された前記ワーク、或いは前記ワークを保持する保持部材に当接するようにしたことを特徴とするクリーム半塗布装置。
【請求項２】
前記位置決め部材は、前記ワークに当接すると共に、前記ワークを前記基台に押し付けるようにしたことを特徴とする請求項１記載のクリーム半塗布装置。
【請求項３】
前記ワークは、本体部と、この本体部から外方に突出する板状部を有し、前記板状部が前記位置決め部材によって前記基台に押し付けられるようにしたことを特徴とする請求項２記載のクリーム半塗布装置。
【請求項４】
前記位置決め部材は、貫通孔を有する筒状体で形成され、前記貫通孔には前記容器が挿入されて、前記ノズルが前記貫通孔内に配置されたことを特徴とする請求項１から３の何れかに記載のクリーム半塗布装置。
【請求項５】
前記位置決め部材は、前記容器に対して取り外し可能となしたことを特徴とする請求項１から４の何れかに記載のクリーム半塗布装置。
【請求項６】
前記位置決め部材は、前記容器に対して上下方向の取付位置が調整可能となしたことを特徴とする請求項１から５の何れかに記載のクリーム半塗布装置。
【請求項７】
前記位置決め部材は、前記容器と当接可能なストッパー部が設けられたことを特徴とする請求項１から６の何れかに記載のクリーム半塗布装置。
【請求項８】
前記ストッパー部が前記容器の下端部に当接するようにしたことを特徴とする請求項７記載のクリーム半塗布装置。
【発明の詳細な説明】
【０００１】
【発明の属する技術分野】
本発明は非可逆回路素子や電子回路ユニット等のワークに使用して好適なクリーム半田塗布装置に関する。
【０００２】
【従来の技術】
従来のクリーム半田塗布装置について説明すると、図４は従来のクリーク半田塗布装置に係る容器の要部断面図を示し、従来のクリーム半田塗布装置の構成を図４に基づいて説明すると、容器５１は、クリーム半田５２を収容する筒状部５１ａと、この筒状部５１ａの下端部に取り付けられ、クリーム半田５２を塗布するためのノズル５１ｂとで構成されている。
【０００３】
この容器５１は、ここでは図示しないが、駆動手段によって保持されると共に、ＤＣサーボモータ等からなる駆動制御手段が設けられて、駆動制御手段からの命令によって駆動手段が可動し、容器５１がＸ方向、Ｙ方向、及びＺ方向の三次元空間の任意の方向に移動可能になっている。
【０００４】
また、従来のクリーム半田塗布装置は、ここでは図示しないが、容器５１の下方に配置されたプリント基板等からなるワーク５３と、ノズル５１ｂとの間の距離を所定の距離にするために、レーザ変位計等からなる電気的距離制御手段が設けられている。
【０００５】
そして、従来のクリーム半田塗布装置は、容器５１が駆動制御手段によって、ワーク５３上の所定の位置に駆動されると共に、容器５１が駆動制御手段によって下方に移動された時、電気的距離制御手段によって、ノズル５１ｂとワーク５３との間の距離が測定される。
【０００６】
この時、電気的距離制御手段は、ノズル５１ｂとワーク５３との間の測定された距離が予め設定された距離と等しいがどうか判別し、両者間に差がある時、駆動制御手段に指令を出して、容器５１を上、或いは下方向に可動するようになっている。
【０００７】
そして、ノズル５１ｂの位置が電気的距離制御手段によって制御された後、圧縮空気が筒状部５１内に送り込まれ、クリーム半田５２がノズル５１ｂからワーク５３上に塗布されるようになる。（例えば、特許文献１参照）
【０００８】
【特許文献１】
特開平５−２００５４１号公報
【０００９】
【発明が解決しようとする課題】
従来のクリーム半田塗布装置は、ノズル５１ｂとワーク５３との間の距離を測定するための電気的距離制御手段を必要とし、装置全体が高価となるばかりか、装置全体が大型になるという問題がある。
【００１０】
そこで、本発明は安価で、小型のクリーム半田塗布装置を提供することを目的とする。
【００１１】
【課題を解決するための手段】
上記課題を解決するための第１の解決手段として、クリーム半田を収容し、少なくとも上下動可能な容器と、この容器の下部に設けられ、クリーム半田を塗布するためのノズルと、クリーム半田が塗布されるワークを支持する基台とを備え、前記容器には、前記容器と共に移動する位置決め部材が取り付けられ、前記容器が下方に移動した時、前記位置決め部材の下端部が前記基台、或いは前記基台上に配置された前記ワーク、或いは前記ワークを保持する保持部材に当接するようにした構成とした。
【００１２】
また、第２の解決手段として、前記位置決め部材は、前記ワークに当接すると共に、前記ワークを前記基台に押し付けるようにした構成とした。
また、第３の解決手段として、前記ワークは、本体部と、この本体部から外方に突出する板状部を有し、前記板状部が前記位置決め部材によって前記基台に押し付けられるようにした構成とした。
【００１３】
また、第４の解決手段として、前記位置決め部材は、貫通孔を有する筒状体で形成され、前記貫通孔には前記容器が挿入されて、前記ノズルが前記貫通孔内に配置された構成とした。
また、第５の解決手段として、前記位置決め部材は、前記容器に対して取り外し可能となした構成とした。
【００１４】
また、第６の解決手段として、前記位置決め部材は、前記容器に対して上下方向の取付位置が調整可能となした構成とした。
また、第７の解決手段として、前記位置決め部材は、前記容器と当接可能なストッパー部が設けられた構成とした。
また、第８の解決手段として、前記ストッパー部が前記容器の下端部に当接するようにした構成とした。
【００１５】
【発明の実施の形態】
本発明のクリーム半田塗布装置の図面を説明すると、図１は本発明のクリーム半田塗布装置の要部の側面図、図２は本発明のクリーム半田塗布装置の要部の断面図、図３は本発明のクリーム半田塗布装置の動作を示す要部の断面図である。
【００１６】
次に、本発明のクリーム半田塗布装置の構成を図１〜図３に基づいて説明すると、筒状をなした容器１は、クリーム半田Ｋ（図３参照）を収容するための筒状部１ａと、この筒状部１ａの下端部から突出して設けられ、クリーム半田Ｋを塗布するためのノズル１ｂとで構成されている。
【００１７】
また、この容器１は、ここでは図示しないが、駆動手段によって保持されると共に、ＤＣサーボモータ等からなる駆動制御手段が設けられて、駆動制御手段からの命令によって駆動手段が可動し、容器１がＸ方向、Ｙ方向、及びＺ方向の三次元空間の任意の方向に移動可能になっている。
なお、容器１は、駆動制御手段によって、上下方向のみに可動するようにしても良い。
【００１８】
合成樹脂の成型品や金属材の加工品等からなる位置決め部材２は、中心部に貫通孔２ａを有する筒状体２ｂと、この筒状体２ｂの下方部に設けられ、貫通孔２ａ内に突出したストッパー部２ｃと、このストッパー部２ｃの下部に設けられ、貫通孔２ａと繋がった凹状の収納部２ｄと、筒状体２ｂの下端部である位置決め部２ｅと、筒状体２ｂの上方部に設けられたネジ孔２ｆを有する。
【００１９】
この位置決め部材２の貫通孔２ａ内には、ノズル１ｂ側から筒状部１ａが挿入され、筒状部１ａの下端部がストッパー部２ｃに当接した状態で、ネジ孔２ｆにネジ３がねじ込まれて、位置決め部材２がネジ３によって容器１に取り付けられている。
【００２０】
位置決め部材２が容器１に取り付けられた際、位置決め部材２は、ストッパー部２ｃが容器１に当接することによって、容器１に対する位置が決定されると共に、ノズル１ｂは、筒状体２ｂに設けられた収納部２ｄ内に位置して、位置決め部２ｅから所定の距離を持って位置した状態となっている。
【００２１】
また、この位置決め部材２は、ネジ３を緩めることによって、容器１から取り外し可能であると共に、ストッパー部２ｃと位置決め部２ｅとの間の距離を違えた種々の位置決め部材２の何れかに取り換え可能となっている。
【００２２】
また、容器１の下方部には、ワーク５を支持するための基台４が配設されおり、この基台５上に載置されるワーク４について説明すると、ここではワーク４の一例として、非可逆回路素子の一部が示されている。
【００２３】
そして、ここで示されたワーク５である非可逆回路素子の一部は、合成樹脂の成型品で形成されたケースからなる箱形の本体部６と、この本体部６の下部に埋設された金属板の下ヨークからなる板状体７が示されている。
【００２４】
また、下ヨークである板状部７は、本体部６内に露出する露出部７ａと、本体部６の下端部から外方に突出する板状部７ｂを有し、そして、板状体７の露出部７ａ上には、チップ型のコンデンサ（図示せず）や抵抗器（図示せず）が半田付けされるようになっていると共に、板状部７ｂは、回路基板（図示せず）に半田付けされる端子として構成されている。
【００２５】
次に、このような構成を有する本発明のクリーム半田塗布装置の動作を説明すると、先ず、基台４上にワーク５を載置する。
この時、ワーク５は、保持部材（図示せず）等の適宜手段によって、基台４上の所定の位置に配置された状態となっている。
【００２６】
次に、駆動制御手段によって容器１を下方に移動すると、図３に示すように、位置決め部材２も下方に移動して、位置決め部材２の下端部である位置決め部２ｅがワーク５の板状部７ｂに当接すると共に、位置決め部材２によって、板状部７ｂを基台４に押し付ける。
【００２７】
このように、位置決め部２ｅがワーク５に当接することによって、ノズル１ｂとワーク５との間が所定（所望）の距離に設定されると共に、収納部２ｂ内には、本体部６が位置した状態となって、ノズル１ｂが露出部７ａ上に所定の距離を保った状態で位置した状態となる。
【００２８】
なお、この実施例では、位置決め部２ｅがワーク５に当接するもので説明したが、位置決め部２ｅが基台４，或いはワーク５を保持する保持部材に当接するようにしても良い。
この時、ノズル１ｂとワーク５との間の距離が変わるため、ノズル１ｂとワーク５との間が所定（所望）の距離になるような種々の位置決め部材を用意しておき、その当接形態に対応した位置決め部材が容器に取り付けられることは勿論である。
【００２９】
そして、位置決め部２ｅがワーク５に当接すると、ノズル１ｂとワーク５との間、即ち、ノズル１ｂの先端部とクリーム半田Ｋを塗布すべき露出部７ａとの間の距離が所定（所望）の値となって、従来の電気距離制御手段が不要となる。
【００３０】
次に、この状態で、圧縮空気が筒状部１内に送り込まれ、クリーム半田Ｋがノズル１ｂからワーク５の露出部７ａ上に塗布された後、駆動制御手段によって、容器１と位置決め部材２がワーク５から離れるように上方に移動すると、クリーム半田Ｋの塗布が完了する。
【００３１】
なお、上記実施例では、ワークが非可逆回路素子に適用されたもので説明したが、回路基板やその他の電子回路ユニットに適用しても良いこと勿論である。
また、板状部は、端子に適用されたもので説明したが、回路基板等の板状部で形成される部品に適用しても良い。
【００３２】
また、位置決め部材は、筒状体とストッパー部、及び位置決め部が一体化されて一つの部材からなるもので説明したが、複数個の部材に分割され、この複数個の部材を組み合わせて位置決め部材を構成しても良く、また、容器への位置決め部材の取付は、ネジ以外のスナップ機構を利用した取付構造等からなる取付手段を使用しても良い。
【００３３】
また、位置決め部２ｅが同じワーク５に使用するもので説明したが、種々のワークに適用できる種々の位置決め部材を用意しておき、そのワーク形態に対応した位置決め部材を容器に取付、取り外し、及び交換するようにしても良い。
また、ストッパー部には、容器の下端部が当接するようにしたが、ストッパー部には、容器の下端部以外の部分を当接するようにしても良い。
【００３４】
また、位置決め部材は、ネジを緩める等して、容器に対してその位置を調整できるようにして、位置決め部とノズルの先端部との間の距離を調整するようにしても良い。
【００３５】
【発明の効果】
本発明のクリーム半田塗布装置は、クリーム半田を収容し、少なくとも上下動可能な容器と、この容器の下部に設けられ、クリーム半田を塗布するためのノズルと、クリーム半田が塗布されるワークを支持する基台とを備え、容器には、容器と共に移動する位置決め部材が取り付けられ、容器が下方に移動した時、位置決め部材の下端部が基台、或いは基台上に配置されたワーク、或いはワークを保持する保持部材に当接するようにした構成とした。
このように、位置決め部材の下端部が基台、或いは基台上に配置されたワーク、或いはワークを保持する保持部材に当接するようにすると、ノズルとワークとの間の所望の距離が機械的な構成によって得ることができて、従来の電気的距離制御手段が不要となって、安価で、小型のクリーム半田塗布装置を提供できる。
【００３６】
また、位置決め部材は、ワークに当接すると共に、ワークを基台に押し付けるようにしたため、ワークの支持を確実にできると共に、ノズルとワークとの間の所望の距離を正確にすることができる。
【００３７】
また、ワークは、本体部と、この本体部から外方に突出する板状部を有し、板状部が位置決め部材によって基台に押し付けられるようにしたため、ワークの支持を安定した状態で確実にできると共に、ノズルとワークとの間の所望の距離を一層正確にすることができる。
【００３８】
また、位置決め部材は、貫通孔を有する筒状体で形成され、貫通孔には容器が挿入されて、ノズルが貫通孔内に配置されたため、位置決め部材の容器への取付が簡単で、組立性の良好なものが得られる。
【００３９】
また、位置決め部材は、容器に対して取り外し可能となしたため、予め用意された種々の位置決め部材と交換できて、融通性のあるものが得られる。
【００４０】
また、位置決め部材は、容器に対して上下方向の取付位置が調整可能となしたため、種々の位置決め部材を用意することなく、位置決め部とノズルの先端部との間の距離を変えることができ、安価なクリーム半田塗布装置を提供できる。
【００４１】
また、位置決め部材は、容器と当接可能なストッパー部が設けられたため、容器に対する位置決め部材の取付位置を一定にすることができて、このため、位置決め部材を取り付けることによって、位置決め部とノズルの先端部との間の距離の所望ものが得られる。
【００４２】
また、ストッパー部が容器の下端部に当接するようにしたため、位置決め部材の構成が簡単となり、安価で、組合せの容易なものが得られる。
【図面の簡単な説明】
【図１】本発明のクリーム半田塗布装置の要部の側面図。
【図２】本発明のクリーム半田塗布装置の要部の断面図。
【図３】本発明のクリーム半田塗布装置の動作を示す要部の断面図。
【図４】従来のクリーム半田塗布装置の要部の断面図。
【符号の説明】
１  容器
１ａ  筒状部
１ｂ  ノズル
２  位置決め部材
２ａ  貫通孔
２ｂ  筒状体
２ｃ  ストッパー部
２ｄ  収納部
２ｅ  位置決め部（下端部）
２ｆ  ネジ孔
３  ネジ
４  基台
５  ワーク
６  本体部（ケース）
７  板状体（下ヨーク）
７ａ  露出部
７ｂ  板状部
Ｋ  クリーム半田
【図１】
2004306129.tif 000003
【図２】
2004306129.tif 000004
【図３】
2004306129.tif 000005
【図４】
2004306129.tif 000006